(57)【要約】      （修正有）【課題】ハリスが切れてもルアー本体はライン側に残って回収できる沈降性ルアーを提供する。【解決手段】ルアー本体２の前方にライン取着用リング３を形成し、ルアー本体２の外周であってライン取着用リング３の後方位置にワイヤから構成されたハリス留め６を形成した。ハリス留め６は先端から取り付け基部側に向って延出される狭小な隙間で近接した挟持部７と、挟持部７端部から取り付け基部側に向って拡開された拡開部８とを備えている。抜け止めが形成されたハリスをハリス留め６の挟持部７に抜け止め位置で係合させるようにした。これによって、もしフックが障害物に引っ掛かったとしても、ハリスのみがハリス留め６から外れたり切れたりする。【選択図】図１
0003161878.tif 000002
【実用新案登録請求の範囲】
【請求項１】
ルアー本体の前方にライン取着部が形成されるとともに、前記ルアー本体の外周であって前記ライン取着部の後方位置にはワイヤから構成されたハリス留めが形成されており、前記ハリス留めは先端から取り付け基部側に向って延出される狭小な隙間で近接した挟持部と、同挟持部端部から前記取り付け基部側に向って拡開された拡開部とを備え、抜け止めが形成されたハリスを前記ハリス留めの前記挟持部に前記抜け止め位置で係合させるようにしたことを特徴とする沈降性ルアー。
【請求項２】
前記ハリス留めは前記ルアー本体が沈降する際に上面となる側に取り付けられていることを特徴とする請求項１に記載の沈降性ルアー。
【請求項３】
ルアー本体を引き回した際に前記ハリス留め及び同ハリス留めの後方位置に及ぶ装飾部材を取り付けていることを特徴とする請求項１又は２に記載の沈降性ルアー。
【考案の詳細な説明】
【技術分野】
【０００１】
本考案は魚釣りに使用される沈降性ルアーに関するものである。
【背景技術】
【０００２】
近年の魚釣りにおいては生き餌の代わりにルアーが使用されることが多くなってきている。ルアーは魚種に応じていろいろな種類が使い分けられている。釣り方としてはトローリングのような船に乗って操作する場合が多いものの、岸からルアーをキャスティングする場合もある。
【考案の概要】
【考案が解決しようとする課題】
【０００３】
しかし、岸からのキャスティングでの課題は沈降性のフックが岸近くの岩や漁礁などの障害物に引っ掛かって糸が切れてしまい、高価なルアーを紛失してしまうことである。そのため、岩や漁礁などに引っかかってハリスが切れてもルアー本体は回収できるような沈降性ルアーが求められていた。
本考案は上記課題を解決するためのものである。その目的はハリスが切れてもルアー本体はライン側に残って回収できる沈降性ルアーを提供することにある。
【課題を解決するための手段】
【０００４】
上記課題を解決するために、請求項１に記載の考案では、ルアー本体の前方にライン取着部が形成されるとともに、前記ルアー本体の外周であって前記ライン取着部の後方位置にはワイヤから構成されたハリス留めが形成されており、前記ハリス留めは先端から取り付け基部側に向って延出される狭小な隙間で近接した挟持部と、同挟持部端部から前記取り付け基部側に向って拡開された拡開部とを備え、抜け止めが形成されたハリスを前記ハリス留めの前記挟持部に前記抜け止め位置で係合させるようにしたことをその要旨とする。
請求項２に記載の考案では請求項１の考案の構成に加え、前記ハリス留めは前記ルアー本体が沈降する際に上面となる側に取り付けられているようにしたことをその要旨とする。
請求項３に記載の考案では請求項１又は２の考案の構成に加え、ルアー本体を引き回した際に前記ハリス留め及び同ハリス留めの後方位置に及ぶ装飾部材を取り付けていることをその要旨とする。
【考案の効果】
【０００５】
以上のように構成することで上記各請求項の考案では、岸からのキャスティングでもしフックが障害物に引っ掛かったとしても、ハリスのみがハリス留めから外れたり切れたりするようになるため、ルアー本体はライン側に残ることとなる。そのため、ルアー本体を回収することが可能となる。
【図面の簡単な説明】
【０００６】
【図１】本考案の一実施の形態の沈降性ルアーのスカートとハリスのない状態の（ａ）は正面図、（ｂ）は側面図、（ｃ）は平面図。
【図２】同じ沈降性ルアーのスカートとハリスを取り付けた状態の正面図。
【図３】ハリスの正面図。
【図４】同じ沈降性ルアーを引き回している状態の説明図。
【考案を実施するための形態】
【０００７】
以下、本考案の構造を具体化した実施の形態について図面に基づいて説明する。
図１及び図２に示すように、本実施の形態の沈降性ルアー１は合金製の本体２を備えている。本体２は前方が尖がった前後に長い平面視において木の葉形状の扁平な流線型形状であって、中心線Ｏを境界として左右対称の形状とされている。本体２の先端上面側にはライン取着部としての針金製のライン取着用リング３が固着されている。図２に示すように、ライン取着用リング３には連結リング４を介して装飾部材としての合成ゴム製の複数の太番手の糸からなる可撓性のあるスカート５が執着されている。スカート５は水流によって後方に流された状態で図２のように本体２上面から更に本体２の後方にまで及ぶ。本体２の長手方向に沿ったライン取着用リング３の後方位置であって、本体２の上面後方寄り位置にはハリス留め６が形成されている。
【０００８】
ハリス留め６は断面円形のワイヤを屈曲させてその基部側を本体２に埋設して固定したものである。ハリス留め６は先端で屈曲されており、屈曲端６ａから基部方向にかけてワイヤが対向配置されて狭小な隙間で近接する挟持部７が形成されている。挟持部７の端部から基部方向にかけては外方に拡開された拡開部８とされ本体２上面と拡開部８との間で透孔９が形成される。ハリス留め６は若干後傾に固着されている。
図２に示すように、ハリス１０にはフック１１が固着されており、フック１１とは逆側の端部寄りには抜け止め１２が形成されている。
ハリス１０はハリス留め６の透孔９内にフック１１が後方側となり抜け止め１２がハリス留め６よりも前方位置となるように配置させ、そのまま挟持部７方向に移動させ、後方にハリス１０を引っ張ることで抜け止め１２が挟持部７に係止されてハリス１０はハリス留め６に取り付けられる。図４が取り付けられた状態である。ハリス１０はラインＬよりも細番手の糸から構成されている。
【０００９】
このような構成の沈降性ルアー１を釣人がラインＬを操作し海中を図４のような水平状態で引き回す場合には重心が若干後方になるため本体２は後傾状態の姿勢をとる。そして、フック１１は本体２の後方に配置されることとなる。
このような実施の形態の沈降性ルアー１ではフック１１が根がかりしてもハリス１０の方がラインＬよりも引っ張り荷重に弱く、抜け止め１２位置で切れてしまう（あるいは挟持部７の隙間をすり抜けてしまう）ため、本体２はラインＬ側に残り、フック１１が無くなってもルアー本体２は回収できるため、高価な本体２を紛失することがない。
【００１０】
上記実施の形態は、以下のように具体化されてもよい。
・ルアー本体２の形状や材質は上記に限定されるものではない。
・ハリス留め６の位置や形状は上記に限定されるものではない。ハリス留め６の先端は屈曲させた屈曲端６ａではなく、溶接等で２本のワイヤを連結させるようなものでもよい。ワイヤの種類は問わない。
・フック１１の形状や数、ハリスの長さ等は上記に限定されるものではない。
その他、本考案の趣旨を逸脱しない範囲において変更した態様で実施することは自由である。
【符号の説明】
【００１１】
１…沈降性ルアー、２…ルアー本体、３…ライン取着部としてのライン取着用リング、６…ハリス留め、７…挟持部、８…拡開部、１０…ハリス、１２…抜け止め。
【図１】
0003161878.tif 000003
【図２】
0003161878.tif 000004
【図３】
0003161878.tif 000005
【図４】
0003161878.tif 000006